(57)【特許請求の範囲】
【請求項１】
通信先を呼び出す通常呼、及び前記通常呼よりも優先して取り扱われる優先呼を受け付ける呼処理制御部と、
前記呼処理制御部によって受け付けられた前記通常呼または前記優先呼に基づいて、ベースバンドにおけるトラフィック処理能力であるベースバンドリソースを前記通常呼または前記優先呼に割り当てるベースバンド処理部と
を備える無線基地局であって、
前記呼処理制御部は、前記優先呼を受け付けた場合、前記ベースバンドリソースのオフセットを前記ベースバンド処理部に通知し、
前記ベースバンド処理部は、
前記通常呼に割り当てられる前記ベースバンドリソースを所定の周期で変更するとともに、前記呼処理制御部から通知された前記オフセットに基づいて、前記通常呼に割り当てられる前記ベースバンドリソースを全ベースバンドリソースから前記オフセットを差し引いた範囲までに制限するリソース使用制限を適用し、
前記優先呼用のベースバンドリソース以外に空きベースバンドリソースがある場合には、前記優先呼用のベースバンドリソースを除いたベースバンドリソースを前記通常呼及び前記優先呼に割り当て、
前記優先呼用のベースバンドリソース以外に空きベースバンドリソースがない場合には、前記優先呼に前記オフセットの領域を割り当て、前記通常呼の受け付けを中止する無線基地局。
【請求項２】
前記ベースバンド処理部は、前記リソース使用制限の適用によって前記通常呼に割り当てられることがない優先呼用ベースバンドリソースを前記優先呼に割り当てる請求項１に記載の無線基地局。
【請求項３】
前記ベースバンド処理部は、前記全ベースバンドリソースから前記オフセットを差し引いた残ベースバンドリソースの中に前記通常呼に割り当てられていない空きベースバンドリソースが存在する場合、前記空きベースバンドリソースを前記優先呼に割り当てる請求項２に記載の無線基地局。
【請求項４】
前記ベースバンド処理部は、前記優先呼の終了に伴って前記優先呼に割り当てられた前記ベースバンドリソースをすべて解放した場合、前記リソース使用制限を解除する請求項１に記載の無線基地局。
【請求項５】
通信先を呼び出す通常呼、及び前記通常呼よりも優先して取り扱われる優先呼を受け付けるステップと、
前記優先呼を受け付けるステップによって受け付けられた前記通常呼または前記優先呼に基づいて、ベースバンドにおけるトラフィック処理能力であるベースバンドリソースを前記通常呼または前記優先呼に割り当てるステップと、
前記通常呼に割り当てられる前記ベースバンドリソースを所定の周期で変更するステップと
を備える通信制御方法であって、
前記優先呼を受け付けた場合、前記ベースバンドリソースのオフセットを決定するステップと、
決定された前記オフセットに基づいて、前記通常呼に割り当てられる前記ベースバンドリソースを全ベースバンドリソースから前記オフセットを差し引いた範囲までに制限するリソース使用制限を適用するステップと、
前記優先呼用のベースバンドリソース以外に空きベースバンドリソースがある場合には、前記優先呼用のベースバンドリソースを除いたベースバンドリソースを前記通常呼及び前記優先呼に割り当てるステップと、
前記優先呼用のベースバンドリソース以外に空きベースバンドリソースがない場合には、前記優先呼に前記オフセットの領域を割り当て、前記通常呼の受け付けを中止するステップと
をさらに備える通信制御方法。
【発明の詳細な説明】
【技術分野】
【０００１】
本発明は、通信先を呼び出す通常呼、及び通常呼よりも優先して取り扱われる優先呼を取り扱い、通常呼に割り当てられるベースバンドリソースを短い周期で変更する無線基地局及び通信制御方法に関する。
【背景技術】
【０００２】
従来、第３世代携帯電話システムなどの無線通信システムでは、通信元（例えば、固定電話端末）が通信先（例えば、携帯電話端末）を呼び出す呼が受け付けられ、受け付けられた呼の種別によって通信元と通信先との間における通信に必要なリソースが当該呼に割り当てられる処理が実行される。
【０００３】
このような処理を実行するため、無線基地局は、一般的に呼処理を実行する呼処理制御部と、呼の種別に応じたリソース、具体的には、符号／復号化、拡散／逆拡散などを実施するのに必要な処理能力であるベースバンドリソース（以下、ＢＢリソースと適宜省略する）を当該呼に割り当てるベースバンド処理部とを備える（例えば、特許文献１）。
【０００４】
このような無線基地局は、通常呼よりも優先して取り扱われる、つまり、通常呼よりも優先してＢＢリソースが割り当てられる優先呼（例えば、災害時などにおける緊急呼）の処理を実行することができる。
【０００５】
具体的には、無線基地局の呼処理制御部は、使用ＢＢリソースを示す情報を定期的に取得し、取得した当該情報に基づいて通常呼を受け付けるか否かを判定する。すなわち、呼処理制御部は、使用ＢＢリソースが所定の閾値を超える場合、優先呼に割り当て可能なＢＢリソースを確保するため、通常呼を受け付けないと判定する。
【特許文献１】特開２００６−８６７７６号公報（第３−４頁、第２図）
【発明の開示】
【発明が解決しようとする課題】
【０００６】
ところで、近年、第３世代携帯電話システムでは、上り方向の通信速度を向上させたEnhanced UpLink（EUL）が規定されている。EULでは、無線基地局は、受け付けた通常呼（及び優先呼）、具体的には、当該呼に基づいて開始された通信元と通信先との間における通信に割り当てられるＢＢリソースを極めて短い周期（２ミリ秒毎）で変更する。
【０００７】
このため、無線基地局が使用ＢＢリソースの状況に応じて通常呼を受け付けるか否かの判定を短い周期で実行することは、呼処理制御部の処理能力を考慮すると現実的ではないといった問題があった。つまり、無線基地局は、EULが導入されている場合、優先呼に必要なＢＢリソースを割り当てることができない場合が発生し得る。
【０００８】
そこで、本発明は、このような状況に鑑みてなされたものであり、通常呼に割り当てられるベースバンドリソースを極めて短い周期で変更する場合でも、通常呼よりも優先してベースバンドリソースが割り当てられる優先呼に必要なベースバンドリソースを確実に割り当てることができる無線基地局及び通信制御方法を提供することを目的とする。
【課題を解決するための手段】
【０００９】
上述した問題を解決するため、本発明は、次のような特徴を有している。まず、本発明の第１の特徴は、通信先（例えば、移動局３００Ａ）を呼び出す通常呼、及び前記通常呼よりも優先して取り扱われる優先呼を受け付ける呼処理制御部（呼処理制御部１０５）と、前記呼処理制御部によって受け付けられた前記通常呼または前記優先呼に基づいて、ベースバンドにおけるトラフィック処理能力であるベースバンドリソースを前記通常呼または前記優先呼に割り当てるベースバンド処理部（ベースバンド処理部１０９）とを備える無線基地局（無線基地局２００）であって、前記呼処理制御部は、前記優先呼を受け付けた場合、前記ベースバンドリソースのオフセット（オフセットＯＦ）を前記ベースバンド処理部に通知し、前記ベースバンド処理部は、前記通常呼に割り当てられる前記ベースバンドリソースを所定の周期（例えば、２ミリ秒）で変更するとともに、前記呼処理制御部から通知された前記オフセットに基づいて、前記通常呼に割り当てられる前記ベースバンドリソースを全ベースバンドリソース（全ベースバンドリソースＲＡＬＬ）から前記オフセットを差し引いた範囲までに制限するリソース使用制限を適用することを要旨とする。
【００１０】
このような無線基地局によれば、通常呼に割り当てられるベースバンドリソースは、全ベースバンドリソースから予め定められたオフセットを差し引いた範囲までに制限される。このため、EULなど、通常呼に割り当てられるベースバンドリソースが極めて短い周期で変更される場合でも、優先呼に必要なベースバンドリソースを確実に割り当てることができる。
【００１１】
本発明の第２の特徴は、本発明の第１の特徴に係り、前記ベースバンド処理部は、前記リソース使用制限の適用によって前記通常呼に割り当てられることがない優先呼用ベースバンドリソース（優先呼用ベースバンドリソースＲＰ）を前記優先呼に割り当てることを要旨とする。
【００１２】
本発明の第３の特徴は、本発明の第２の特徴に係り、前記ベースバンド処理部は、前記全ベースバンドリソースから前記オフセットを差し引いた残ベースバンドリソース（ベースバンドリソースＲ）の中に前記通常呼に割り当てられていない空きベースバンドリソースが存在する場合、前記空きベースバンドリソースを前記優先呼に割り当てることを要旨とする。
【００１３】
本発明の第４の特徴は、本発明の第１の特徴に係り、前記ベースバンド処理部は、前記優先呼の終了に伴って前記優先呼に割り当てられた前記ベースバンドリソースをすべて解放した場合、前記リソース使用制限を解除することを要旨とする。
【００１４】
本発明の第５の特徴は、通信先を呼び出す通常呼、及び前記通常呼よりも優先して取り扱われる優先呼を受け付けるステップと、前記優先呼を受け付けるステップによって受け付けられた前記通常呼または前記優先呼に基づいて、ベースバンドにおけるトラフィック処理能力であるベースバンドリソースを前記通常呼または前記優先呼に割り当てるステップと、前記通常呼に割り当てられる前記ベースバンドリソースを所定の周期で変更するステップとを備える通信制御方法であって、前記優先呼を受け付けた場合、前記ベースバンドリソースのオフセットを決定するステップと、決定された前記オフセットに基づいて、前記通常呼に割り当てられる前記ベースバンドリソースを全ベースバンドリソースから前記オフセットを差し引いた範囲までに制限するリソース使用制限を適用するステップとをさらに備えることを要旨とする。
【発明の効果】
【００１５】
本発明の特徴によれば、通常呼に割り当てられるベースバンドリソースを極めて短い周期で変更する場合でも、通常呼よりも優先してベースバンドリソースが割り当てられる優先呼に必要なベースバンドリソースを確実に割り当てることができる無線基地局及び通信制御方法を提供することができる。
【発明を実施するための最良の形態】
【００１６】
次に、本発明の実施形態について説明する。具体的には、（１）無線通信システムの全体概略構成、（２）無線基地局の機能ブロック構成、（３）無線基地局の動作、（４）作用・効果、及び（５）その他の実施形態について説明する。
【００１７】
なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（１）無線通信システムの全体概略構成
図１は、本実施形態に係る無線通信システム１０の全体概略構成図である。図１に示すように、無線通信システム１０は、無線ネットワーク制御装置１００（以下、ＲＮＣ１００）、無線基地局２００及び移動局３００Ａ，３００Ｂによって構成される。なお、無線通信システム１０に含まれる無線基地局及び移動局の数は、図１に示した数に限定されない。
【００２０】
ＲＮＣ１００は、通信ネットワーク２０に接続される。通信ネットワーク２０には、移動局３００Ａと通信を実行する通信装置（通信元）、例えば、固定電話端末（不図示）が接続される。
【００２１】
無線通信システム１０は、3rd Generation Partnership Project（3GPP）によって規定された無線通信方式、具体的には、W-CDMA方式を採用する。また、無線通信システム１０では、上り方向におけるデータの伝送速度を向上させたEnhanced UpLink（EUL）が導入されている。
【００２２】
無線基地局２００は、移動局３００Ａ，３００Ｂと無線信号ＲＳを送受信する。また、無線基地局２００は、ＲＮＣ１００と接続される。無線基地局２００は、ＲＮＣ１００からの指示に基づいて、移動局３００Ａ，３００Ｂと送受信する無線信号ＲＳやベースバンドリソースを制御する。
【００２３】
特に、本実施形態では、無線基地局２００は、通信先（例えば、移動局３００Ａ）を呼び出す通常呼、及び通常呼よりも優先して取り扱われる優先呼、つまり、２種類の呼を処理することができる。なお、優先呼とは、例えば、災害時などにおいて特定の電話番号が付与された通信元に許可される緊急呼が挙げられる。
【００２４】
（２）無線基地局の機能ブロック構成
図２は、無線基地局２００の機能ブロック構成図である。図２に示すように、無線基地局２００は、伝送路帯域監視部１０１、送信電力監視部１０３、呼処理制御部１０５、パラメータ格納部１０７及びベースバンド処理部１０９を備える。なお、以下、本発明との関連がある部分について主に説明する。したがって、無線基地局２００は、無線基地局２００としての機能を実現する上で必須な、図示しない或いは説明を省略したブロック（電源部など）を備える場合があることに留意されたい。
【００２５】
伝送路帯域監視部１０１は、無線基地局２００が送受信する無線信号ＲＳの伝送路帯域を監視する。具体的には、伝送路帯域監視部１０１は、通常呼または優先呼を受け付けたことに伴って、当該呼に基づいて開始される通信に必要な伝送路帯域を使用可能な伝送路帯域内に確保できるか否かを監視する。
【００２６】
送信電力監視部１０３は、無線基地局２００が送信する無線信号ＲＳの送信電力を監視する。具体的には、送信電力監視部１０３は、通常呼または優先呼を受け付けたことに伴って、当該呼に基づいて開始される通信に必要な送信電力を出力できるか否かを監視する。
【００２７】
呼処理制御部１０５は、通信先（例えば、移動局３００Ａ）を呼び出す通常呼、及び通常呼よりも優先して取り扱われる優先呼を受け付ける。具体的には、呼処理制御部１０５は、ＲＮＣ１００から送信される制御データに基づいて通常呼及び優先呼の受け付け処理を実行する。
【００２８】
図５（ａ）は、呼処理制御部１０５による通常呼または優先呼のベースバンドリソースＲ（図２において不図示、図６（ａ）及び図７（ａ）など参照）への割り当て例を示す。図５（ａ）に示すように、呼処理制御部１０５は、予め規定されたベースバンドリソースの閾値に基づいて、通常呼または優先呼を受け付けるか否かを判定する。図５（ａ）において、網掛け表示された各ブロックは、ひとつの通常呼または優先呼に対応する。
【００２９】
呼処理制御部１０５は、通常呼及び優先呼を受け付けた場合、必要なベースバンドリソースＲ（以下、ＢＢリソースＲ）、つまり、ベースバンドにおけるトラフィック処理能力の当該呼への割り当てをベースバンド処理部１０９に要求する。
【００３０】
特に、本実施形態では、呼処理制御部１０５は、優先呼を受け付けた場合、ＢＢリソースＲのオフセットＯＦ（図２において不図示、図５（ａ）など参照）をベースバンド処理部１０９に通知する。
【００３１】
また、呼処理制御部１０５は、受け付けた通常呼または優先呼に基づいて、当該呼のＢＢリソースＲへの割り当て状態を管理する。
【００３２】
パラメータ格納部１０７は、呼処理制御部１０５及びベースバンド処理部１０９において用いられるパラメータを格納する。例えば、パラメータ格納部１０７は、無線基地局２００が使用可能な伝送路帯域や出力可能な送信電力などに関するパラメータを格納する。
【００３３】
また、本実施形態では、パラメータ格納部１０７は、呼処理制御部１０５によってベースバンド処理部１０９に通知されるオフセットＯＦの値を格納する。
【００３４】
ベースバンド処理部１０９は、ベースバンドにおける各種処理を実行する。本実施形態では、EULが導入されているため、ベースバンド処理部１０９は、通常呼に割り当てられるＢＢリソースＲを所定の周期、具体的には、２ミリ秒のTransmission Time Interval（TTI）毎に変更する。
【００３５】
図５（ｂ）は、ベースバンド処理部１０９による通常呼または優先呼のベースバンドリソースへの割り当て例を示す。図５（ｂ）に示すように、ベースバンド処理部１０９は、EULに従って動作する通常呼（EUL呼）に割り当てられるＢＢリソースＲを２ミリ秒のTTI毎に、伝送すべきトラフィック量（データ量）や無線信号ＲＳの状態に応じて変更する。
【００３６】
なお、呼処理制御部１０５は、図５（ａ）に示すように、EUL呼については、最低の伝送速度に対応するＢＢリソースＲが割り当てられるものとして通常呼の受け付け処理を実行する。また、ベースバンド処理部１０９は、通常呼（EUL呼を含む）または優先呼に割り当てたＢＢリソースＲの状態を呼処理制御部１０５に定期的に報告する。呼処理制御部１０５は、受け付けた通常呼または優先呼に基づいて呼処理制御部１０５において管理されているＢＢリソースＲの状態と、ベースバンド処理部１０９から報告されたＢＢリソースＲの状態とに差分がある場合、呼処理制御部１０５において管理されているＢＢリソースＲの状態を、ベースバンド処理部１０９から報告されたＢＢリソースＲの状態に更新する。
【００３７】
ベースバンド処理部１０９は、呼処理制御部１０５によって受け付けられた通常呼または優先呼に基づいて、ＢＢリソースＲを通常呼または優先呼に割り当てる。
【００３８】
ベースバンド処理部１０９は、呼処理制御部１０５から通知されたオフセットＯＦに基づいて、通常呼に割り当てられるＢＢリソースＲを全ベースバンドリソースＲＡＬＬ（図２において不図示、図６（ａ）及び図７（ａ）参照）からオフセットＯＦを差し引いた範囲までに制限するリソース使用制限を適用する。なお、全ベースバンドリソースＲＡＬＬは、図５（ｂ）における最大容量と対応する。
【００３９】
ベースバンド処理部１０９によってリソース使用制限が適用されると、図５（ｂ）に示すように、優先呼に割り当てられる優先呼用ベースバンドリソースＲＰが確保される。ベースバンド処理部１０９は、リソース使用制限の適用によって通常呼に割り当てられることがない優先呼用ベースバンドリソースＲＰを優先呼に割り当てることができる。
【００４０】
また、ベースバンド処理部１０９は、全ベースバンドリソースＲＡＬＬからオフセットＯＦを差し引いた残りのＢＢリソースＲ（残ベースバンドリソース）の中に通常呼に割り当てられていない空きベースバンドリソースが存在する場合、当該空きベースバンドリソースを優先呼に割り当てることもできる。
【００４１】
ベースバンド処理部１０９は、優先呼の終了、具体的には、優先呼に基づいて開始された通信の終了に伴って、当該優先呼に割り当てられたＢＢリソースＲをすべて解放した場合、適用していたリソース使用制限を解除する。
【００４２】
（３）無線基地局の動作
次に、無線基地局２００の動作について説明する。具体的には、通常呼及び優先呼へのＢＢリソースＲの割り当て動作、優先呼に割り当てたＢＢリソースＲの解除動作、及びＢＢリソースＲの割り当て例について説明する。
【００４３】
（３．１）ベースバンドリソース割り当て
図３は、無線基地局２００が通常呼及び優先呼にＢＢリソースＲを割り当てる動作フローを示す。
【００４４】
図３に示すように、ステップＳ１０において、無線基地局２００は、新規に受け付けた呼が優先呼であるか否かを判定する。
【００４５】
新規に受け付けた呼が優先呼でない場合、つまり、通常呼である場合（ステップＳ１０のＮｏ）、ステップＳ２０において、無線基地局２００は、伝送路帯域の判定処理を実行する。具体的には、無線基地局２００は、使用可能伝送路帯域から優先呼用の伝送路帯域、及び該当呼、つまり、受け付けた通常呼用の伝送路帯域を減算した使用可能伝送路帯域が０より大きいか否かを判定する。
【００４６】
使用可能伝送路帯域が０より大きい場合（ステップＳ２０のＯＫ）、ステップＳ３０において、無線基地局２００は、送信電力の判定処理を実行する。具体的には、無線基地局２００は、使用可能送信電力から優先呼用の送信電力及び受け付けた通常呼用の送信電力を減算した使用可能送信電力が０より大きいか否かを判定する。
【００４７】
使用可能送信電力が０より大きい場合（ステップＳ３０のＯＫ）、ステップＳ４０において、無線基地局２００は、ベースバンドリソースの判定処理を実行する。具体的には、無線基地局２００は、使用可能なＢＢリソースＲから優先呼に割り当てられる優先呼用ベースバンドリソースＲＰ及び受け付けた通常呼に割り当てられるＢＢリソースＲを減算したＢＢリソースＲ、つまり、空きベースバンドリソースが０より大きいか否かを判定する。
【００４８】
空きベースバンドリソースが０より大きい場合（ステップＳ４０のＯＫ）、ステップＳ５０において、無線基地局２００は、当該通常呼を受け付けられると判定する。
【００４９】
一方、使用可能伝送路帯域が０以下の場合（ステップＳ２０のＮＧ）、使用可能送信電力が０以下の場合（ステップＳ３０のＮＧ）、及び空きベースバンドリソースが０の場合（ステップＳ４０のＮＧ）、ステップＳ６０、Ｓ７０、Ｓ８０において、無線基地局２００は、当該通常呼を受け付けられないと判定する。
【００５０】
また、新規に受け付けた呼が優先呼である場合（ステップＳ１０のＹｅｓ）、ステップＳ９０において、無線基地局２００は、無線基地局２００は、伝送路帯域の判定処理を実行する。具体的には、無線基地局２００は、使用可能伝送路帯域から該当呼、つまり、受け付けた優先呼用の伝送路帯域を減算した使用可能伝送路帯域が０より大きいか否かを判定する。
【００５１】
使用可能伝送路帯域が０より大きい場合（ステップＳ９０のＯＫ）、ステップＳ１００において、無線基地局２００は、送信電力の判定処理を実行する。具体的には、無線基地局２００は、使用可能送信電力から、受け付けた優先呼用の伝送路帯域を減算した使用可能伝送路帯域が０より大きいか否かを判定する。
【００５２】
使用可能送信電力が０より大きい場合（ステップＳ１００のＯＫ）、ステップＳ１１０において、無線基地局２００は、ベースバンドリソースの判定処理を実行する。具体的には、無線基地局２００は、使用可能なＢＢリソースＲから、受け付けた優先呼に割り当てられるＢＢリソースＲを減算したＢＢリソースＲが０より大きいか否かを判定する。
【００５３】
ＢＢリソースＲが０より大きい場合（ステップＳ１１０のＯＫ）、ステップＳ１２０において、無線基地局２００は、Ｎの値が０であるか否かを判定する。Ｎは、受け付けた優先呼の数を示す。
【００５４】
Ｎ＝０の場合（ステップＳ１２０のＹｅｓ）、ステップＳ１３０において、無線基地局２００は、オフセットＯＦの量を決定する。具体的には、無線基地局２００のベースバンド処理部１０９は、パラメータ格納部１０７に格納されているオフセットＯＦの値に基づいて、オフセットＯＦを設定する。
【００５５】
ステップＳ１４０において、無線基地局２００は、Ｎの値を更新する。具体的には、無線基地局２００は、数式Ｎ＝Ｎ＋１に従ってＮの値を更新する。
【００５６】
ステップＳ１５０において、無線基地局２００は、当該優先呼を受け付けられると判定する。
【００５７】
一方、使用可能伝送路帯域が０以下の場合（ステップＳ９０のＮＧ）、使用可能送信電力が０以下の場合（ステップＳ１００のＮＧ）、及びＢＢリソースＲが０以下の場合（ステップＳ１１０のＮＧ）、ステップＳ１６０、Ｓ１７０、Ｓ１８０において、無線基地局２００は、無線基地局２００は、当該優先呼を受け付けられないと判定する。
【００５８】
（３．２）ベースバンドリソース解放
図４は、無線基地局２００が優先呼に割り当てたＢＢリソースＲを解放する動作フローを示す。
【００５９】
図４に示すように、ステップＳ２１０において、無線基地局２００は、解放する呼が優先呼か否かを判定する。
【００６０】
解放する呼が優先呼である場合（ステップＳ２１０のＹｅｓ）、ステップＳ２２０において、無線基地局２００は、Ｎの値を更新する。具体的には、無線基地局２００は、数式Ｎ＝Ｎ−１に従ってＮの値を更新する。
【００６１】
ステップＳ２３０において、無線基地局２００は、Ｎの値が０であるか否かを判定する。
【００６２】
Ｎ＝０の場合（ステップＳ２３０のＹｅｓ）、ステップＳ２４０において、無線基地局２００は、無線基地局２００は、設定されていたオフセットＯＦを解除する。
【００６３】
（３．３）ベースバンドリソース割り当て例
図６（ａ）〜（ｄ）は、呼処理制御部１０５における通常呼及び優先呼へのＢＢリソースＲの具体的な割り当て例を示す。図７（ａ）〜（ｄ）は、ベースバンド処理部１０９における通常呼及び優先呼へのＢＢリソースＲの具体的な割り当て例を示す。
【００６４】
図７（ａ）〜（ｄ）は、図６（ａ）〜（ｄ）とそれぞれ対応する。例えば、図６（ｂ）に示すように、通常呼及び優先呼へのＢＢリソースＲの割り当てが呼処理制御部１０５において実行された場合、ベースバンド処理部１０９では、図７（ｂ）に示すように通常呼及び優先呼の割り当てが実行されることを示す。
【００６５】
（３．３．１）優先呼がない場合
図６（ａ）に示すように、呼処理制御部１０５は、通常呼（EUL呼）が消費するＢＢリソースＲの瞬時変動量を把握することができないため、最低の伝送速度を提供するために必要なＢＢリソースＲを割り当てるものとして取り扱う。なお、ベースバンド処理部１０９では、この段階ではオフセットＯＦが設定されていないため、図７（ａ）に示すように、全ベースバンドリソースＲＡＬＬ（以下、全ＢＢリソースＲＡＬＬ）のうち、すべての空きベースバンドリソース（以下、空きＢＢリソース）を当該通常呼に割り当てる。すなわち、当該通常呼に対応する通信では、高速なデータ伝送が可能となる。
【００６６】
（３．３．２）優先呼が発生した場合
図６（ｂ）に示すように、呼処理制御部１０５は、オフセットＯＦ、つまり、優先呼用ベースバンドリソースＲＰ（以下、優先呼用ＢＢリソースＲＰ）以外に空きＢＢリソースが存在している場合、優先呼についても空きＢＢリソースに割り当てる。
【００６７】
一方、図７（ｂ）に示すように、ベースバンド処理部１０９は、呼処理制御部１０５から通知されたオフセットＯＦに従って優先呼用ＢＢリソースＲＰを確保する。通常呼は、優先呼用ＢＢリソースＲＰを除いたＢＢリソースＲ内においてTTI毎に変動する。
【００６８】
（３．３．３）通常呼及び優先呼が継続して複数発生した場合
図６（ｃ）に示すように、呼処理制御部１０５は、優先呼用ＢＢリソースＲＰ以外に空きＢＢリソースがなくなるまで、通常呼（通常呼＃１〜５）及び優先呼（優先呼＃１〜２）にＢＢリソースＲを割り当てる。
【００６９】
一方、図７（ｂ）に示すように、ベースバンド処理部１０９は、優先呼用ＢＢリソースＲＰを除いたＢＢリソースＲを通常呼（通常呼＃１〜５）及び優先呼（優先呼＃１〜２）に割り当てる。ベースバンド処理部１０９は、通常呼、具体的には、EUL呼が消費するＢＢリソースＲが最低の伝送速度に低下するまで、新たな通常呼または優先呼に空きベースバンドリソースを割り当てる。
【００７０】
（３．３．４）優先呼用ＢＢリソースＲＰ以外に空きＢＢリソースがない場合
図６（ｄ）に示すように、呼処理制御部１０５は、優先呼（優先呼＃３〜４）にオフセットＯＦの領域を割り当てる。また、呼処理制御部１０５は、通常呼の受け付けを中止する。
【００７１】
図７（ｄ）に示すように、ベースバンド処理部１０９は、優先呼（優先呼＃３〜４）に優先呼用ＢＢリソースＲＰの領域を割り当てる。
【００７２】
（４）作用・効果
無線基地局２００によれば、通常呼に割り当てられるＢＢリソースＲは、全ベースバンドリソースＲＡＬＬから予め定められたオフセットＯＦを差し引いた範囲までに制限される。このため、EULに従った通常呼に割り当てられるＢＢリソースＲが極めて短い周期（２ミリ秒）で変更される場合でも、優先呼に必要なＢＢリソースＲを確実に割り当てることができる。
【００７３】
また、本実施形態では、呼処理制御部１０５から通知されたオフセットＯＦに基づいて、ベースバンド処理部１０９が通常呼及び優先呼にＢＢリソースＲを割り当てる。このため、呼処理制御部１０５は、EULに従った通常呼に割り当てられるＢＢリソースＲの変動を考慮した処理を実行する必要がない。つまり、呼処理制御部１０５における処理負荷を低減できる。
【００７４】
本実施形態では、ベースバンド処理部１０９は、ＢＢリソースＲ（残ベースバンドリソース）の中に通常呼に割り当てられていない空きベースバンドリソースが存在する場合、空きベースバンドリソースを優先呼に割り当てる。また、ベースバンド処理部１０９は、優先呼に割り当てられたＢＢリソースＲをすべて解放した場合、リソース使用制限を解除する。
【００７５】
このため、優先呼に割り当てられるＢＢリソースＲを確保しつつ、全ベースバンドリソースＲＡＬＬを効率的に使用することができる。
【００７６】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７７】
例えば、上述した本発明の実施形態では、ベースバンド処理部１０９は、優先呼に割り当てられたＢＢリソースＲをすべて解放した場合、リソース使用制限を解除したが、リソース使用制限は、必ずしも解除しなくても構わない。例えば、ベースバンド処理部１０９は、優先呼に割り当てられたＢＢリソースＲをすべて解放した後、所定時間が経過した場合にリソース使用制限を解除するようにしてもよい。
【００７８】
上述した実施形態では、ベースバンド処理部１０９は、ＢＢリソースＲ（残ベースバンドリソース）の中に通常呼に割り当てられていない空きベースバンドリソースが存在する場合、空きベースバンドリソースを優先呼に割り当てたが、ベースバンド処理部１０９は、必ず優先呼用ベースバンドリソースＲＰを優先呼に割り当てるようにしてもよい。
【００７９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００８０】
【図１】本発明の実施形態に係る無線通信システム１０の全体概略構成図である。
【図２】本発明の実施形態に係る無線基地局２００の機能ブロック構成図である。
【図３】本発明の実施形態に係る無線基地局２００が通常呼及び優先呼にベースバンドリソースＲを割り当てる動作フローを示す図である。
【図４】本発明の実施形態に係る無線基地局２００が優先呼に割り当てたベースバンドリソースＲを解放する動作フローを示す図である。
【図５】本発明の実施形態に係る呼処理制御部１０５及びベースバンド処理部１０９における通常呼及び優先呼のベースバンドリソースＲへの割り当て例を示す図である。
【図６】本発明の実施形態に係る呼処理制御部１０５における通常呼及び優先呼へのベースバンドリソースＲの具体的な割り当て例を示す図である。
【図７】本発明の実施形態に係るベースバンド処理部１０９における通常呼及び優先呼へのベースバンドリソースＲの具体的な割り当て例を示す図である。
【符号の説明】
【００８１】
１０…無線通信システム、２０…通信ネットワーク、１００…無線ネットワーク制御装置（ＲＮＣ）、１０１…伝送路帯域監視部、１０３…送信電力監視部、１０５…呼処理制御部、１０７…パラメータ格納部、１０９…ベースバンド処理部、２００…無線基地局、３００Ａ，３００B…移動局、ＯＦ…オフセット、Ｒ…ベースバンドリソース（ＢＢリソース）、ＲＡＬＬ…全ベースバンドリソース（全ＢＢリソース）、ＲＰ…優先呼用ベースバンドリソース（優先呼用ＢＢリソース）、ＲＳ…無線信号
【図１】
0005090885.tif 000002
【図２】
0005090885.tif 000003
【図３】
0005090885.tif 000004
【図４】
0005090885.tif 000005
【図５】
0005090885.tif 000006
【図６】
0005090885.tif 000007
【図７】
0005090885.tif 000008